(57)【要約】【課題】電動送風機の吸気側から透過する騒音、特に高周波音に対して低騒音化を図った電気掃除機を提供する。【解決手段】塵埃を吸引する吸込具（図示せず）に連通し、吸引風を発生する電動送風機２を収納する電動送風機室３と、前記電動送風機室３の上流側に配され、塵埃を捕集する集塵袋４を収納する集塵室５と、前記集塵袋４に振動を加えて前記集塵袋４に付着した塵埃を除塵する振動板２８とを備え、前記振動板２８の少なくとも一部に吸音部材５８を設けたもので、前記電動送風機２の吸気側から透過してくる騒音を前記吸音部材５８により低減することができるものである。【選択図】図２
2012005561.tif 000002
【特許請求の範囲】
【請求項１】
塵埃を吸引する吸込具に連通し、吸引風を発生する電動送風機を収納する電動送風機室と、前記電動送風機室の上流側に配され、塵埃を捕集する集塵袋を収納する集塵室と、前記集塵袋に振動を加えて前記集塵袋に付着した塵埃を除塵する振動板とを備え、前記振動板の少なくとも一部に消音部を設けたことを特徴とする電気掃除機。
【請求項２】
消音部として、吸音部材を配置した請求項１に記載の電気掃除機。
【請求項３】
消音部を、二材質もしくはそれ以上の複数材質で構成した請求項１または２に記載の電気掃除機。
【請求項４】
消音部が、電動送風機による吸引圧が最も集中する箇所に位置するようにしたことを特徴とした請求項１〜３のいずれか１項に記載の電気掃除機。
【発明の詳細な説明】
【技術分野】
【０００１】
本発明は、低騒音化を図った電気掃除機に関するものである。
【背景技術】
【０００２】
従来のこの種の電気掃除機として、塵埃を吸引するための電動送風機と、電動送風機を内蔵する本体と、この本体に設けられ前記電動送風機からの排気を外部に排出する排気口とを備え、電動送風機と排気口とを連通して形成される排気通路の一部を、可撓性材料からなる遮蔽板で遮蔽するようにして、電動送風機の強運転時には、排気通路を遮蔽している遮蔽板の一部が撓み変形して必要な排気通路面積を確保する一方、弱運転時には排気風速の低下に応じて、排気通路を強運転時より大きく遮蔽し、特に高周波音が直接排気口より排出されることを防止して静音化ができるようにしたものがある（例えば、特許文献１参照）。
【０００３】
また、集塵室に消音部を設けて、低騒音化を図った電気掃除機も提案されている（例えば、特許文献２参照）。
【先行技術文献】
【特許文献】
【０００４】
【特許文献１】特開平１１−１７８７５３号公報
【特許文献２】特開平１０−２１１１２８号公報
【発明の概要】
【発明が解決しようとする課題】
【０００５】
しかしながら、上記特許文献１に記載されたような従来の電気掃除機の構成では、電動送風機から発せられる騒音、特に高周波音は排気口のみでなく、塵埃を吸引するための吸気口からも透過しているため、吸気口側については静音化効果が得られない、という課題があった。
【０００６】
また、上記特許文献２に記載されたような従来の電気掃除機の構成では、塵埃を吸引するための電動送風機の前方に複雑な形状の別部品となる消音部を配置するため、少々高価となり、また、前記電動送風機と塵埃を捕集する集塵袋を収納する集塵室との間には、前記電動送風機への接触防止の格子が設けられているのが一般的であるが、前記消音部を配置することにより、構造が複雑化し、十分な強度の確保を得るには少々難しい、という課題があった。
【０００７】
本発明は、上記従来の課題を解決し、電動送風機の吸気側から透過する騒音、特に高周波音を低減することができる電気掃除機を提供することを目的とする。
【課題を解決するための手段】
【０００８】
上記従来の課題を解決するために、本発明の電気掃除機は、塵埃を吸引する吸込具に連通し、吸引風を発生する電動送風機を収納する電動送風機室と、前記電動送風機室の上流側に配され、塵埃を捕集する集塵袋を収納する集塵室と、前記集塵袋に振動を加えて前記集塵袋に付着した塵埃を除塵する振動板とを備え、前記振動板の少なくとも一部に消音部を設けたもので、前記電動送風機の吸気側から透過してくる騒音を前記消音部により低減することができるものである。
【発明の効果】
【０００９】
本発明の電気掃除機は、電動送風機の吸気側から透過する騒音、特に高周波音を低減することができる。
【図面の簡単な説明】
【００１０】
【図１】本発明の実施の形態１における電気掃除機の全体斜視図
【図２】同電気掃除機の電気掃除機本体の断面図
【図３】同電気掃除機本体の蓋を外した状態の斜視図
【図４】同電気掃除機本体の部分断面図
【図５】同電気掃除機の除塵手段の側面図
【図６】同除塵手段の側面図
【発明を実施するための形態】
【００１１】
第１の発明は、塵埃を吸引する吸込具に連通し、吸引風を発生する電動送風機を収納する電動送風機室と、前記電動送風機室の上流側に配され、塵埃を捕集する集塵袋を収納する集塵室と、前記集塵袋に振動を加えて前記集塵袋に付着した塵埃を除塵する振動板とを備え、前記振動板の少なくとも一部に消音部を設けたもので、前記電動送風機の吸気側から透過してくる騒音を前記消音部により低減することができるものである。
【００１２】
第２の発明は、特に、第１の発明の消音部として、吸音部材を配置したもので、前記集塵室側から透過してくる不快音を低減することができるものである。また吸音部材にはさまざまな種類が存在し、消音したい周波数帯に効果的な吸音部材を選定することによりさまざまな周波数帯の吸音を可能にするものである。
【００１３】
第３の発明は、特に、第１又は第２の発明の消音部を、二材質もしくはそれ以上の複数材質で構成したもので、電動送風機の吸気側から発せられる透過性の高い高周波音を効果的に遮音することができるものである。
【００１４】
第４の発明は、特に、第１〜３のいずれか一つの発明の消音部が、電動送風機による吸引圧が最も集中する箇所に位置するようにしたもので、前記電動送風機の吸気側から発せられる騒音の集中している箇所に配置することになり、より効果的に消音効果を得られるものである。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の全体斜視図、図２は、同電気掃除機の電気掃除機本体の断面図、図３は、同電気掃除機本体の蓋を外した状態の斜視図、図４は、同電気掃除機本体の部分断面図、図５は、同電気掃除機の除塵手段の側面図、図６は、同除塵手段の側面図である。
【００１７】
図１〜６において、１は、本実施の形態における電気掃除機の電気掃除機本体で、後部に電動送風機２を内蔵した電動送風機室３が配され、前部に、着脱自在で塵埃を捕集するエレクトレット加工された集塵袋４を収納する集塵室５が配され、後方下部の両側には、１対の走行用の車輪６が回転自在に取着され、底面前部には、同じく走行用のキャスター７が取着されている。電気掃除機本体１の前部には、ホース８の一端に設けた接続パイプ９が着脱自在に接続される吸入口１０が設けられている。
【００１８】
ホース８の他端には、掃除の際に握る把手１１を備えた先端パイプ１２が設けられている。１３は、伸縮自在或いは継ぎ自在の延長管で、下流側端部が前記先端パイプ１２に着
脱自在に接続され、他端は、塵埃掻き揚げ用の回転ブラシ１４と、その回転ブラシ１４を回転駆動するモーター１５を内蔵した吸込具１６に着脱自在に接続される。
【００１９】
１７は、電気掃除機本体１を持ち運ぶ際に使用する本体ハンドルで、電気掃除機本体１の集塵室５を覆う蓋１８と上ボディ１９で構成されている。
【００２０】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。電動送風機２の前方には、集塵室５に連通する連通口２４が設けられている。
【００２１】
電動送風機２を収納する電動送風機室３と集塵室５を仕切る仕切壁２５は、下ケース２６に設けられており、この仕切壁２５の上方にはパッキン２７が設けられており、パッキン２７にて集塵室５内の空気タイトを行い、気密性を確保している。
【００２２】
仕切壁２５と集塵袋４との間には、集塵袋４を叩いて振動を与える振動板２８を備えた除塵手段２９が設けられている。
【００２３】
電動送風機室３側には、電動送風機２に電力を供給する電源コード３０を巻き付けて収納できるコードリール３１を備えたコード巻取り装置３２が配設されており、電源コード３０の引き出し時、もしくは、収納動作させることにより、前記コードリール３１も回転する構成となっている。
【００２４】
コードリール３１には、略円周状のリブ体３３が形成されており、このリブ体３３は、コードリール３１に形成された突起リブ３４の両端とつながった形状で、複数個形成し、コードリール３１の外周の内側に配設されている。コード巻取り装置３２のコードリール３１は、隔壁体３５に軸支されており、この隔壁体３５には、コードリール３１の回転を制止および解放させる回転レバー３６を回動自在に軸支している。
【００２５】
回転レバー３６には、コードリール３１に形成した突起リブ３４と当接する当接部３７を略円弧状に形成して設け、振動板２８に振動を加える摺動レバー３８を摺動させる摺動操作部３９と、突起リブ３４との当接を解除する当接解除部４０を形成している。当接部３７と突起リブ３４は、隔壁体３５に開口した窓部４１を通して当接する構成としている。
【００２６】
当接部３７には、突起リブ３４との接触による磨耗を防止する磨耗防止体４２をビス等の金属材（図示せず）で設けている。さらに、当接部３７がリブ体３３又は突起リブ３４に当接する方向へ回転レバー３６を付勢する当接バネ４３を摺動操作部３９近傍に設けている。
【００２７】
回転レバー３６と連動し、コードリール３１の回転制止を解除するブレーキ解除部４４を形成し、操作部バネ４５により電気掃除機本体１上方に付勢して設けられている。
【００２８】
摺動レバー３８は、一端に回転レバー３６に設けた摺動操作部３９に当接する当接部４６を形成し、他端に振動板２８に振動を加える振動伝達部４７を形成しており、当接部４６近傍に、振動伝達部４７の方向へ摺動レバー３８を付勢する当接バネ４８が設けられている。
【００２９】
仕切壁２５には、摺動レバー３８を通す開口部４９を設け、摺動レバー３８に係合溝５０を設け、係合部５１を形成した覆部材５２を、係合溝５０と前記開口部４９に保持固定
している。覆部材５２は、外周にフランジ状の凸部５３を形成し、ゴム等の軟質材で形成されている。
【００３０】
隔壁体３５には、摺動レバー３８の動作時の傾きを防止する傾き防止リブ（図示せず）を形成し、回転レバー３６及び摺動レバー３８を覆うカバー体５５を保持固定している。
【００３１】
カバー体５５は、隔壁体３５と同様に、回転レバー３６を軸支する軸受け部６０を形成し、回転レバー３６を付勢している当接バネ４３を保持し、摺動レバー３８を付勢している当接バネ４８を保持している。
【００３２】
一方、集塵室５内の仕切壁２５に設けた連通口２４の前に、振動板２８を軸支した挿入部５６を、下ケース２６から設け、仕切壁２５に設けた開口部４９から挿入された振動伝達部４７にセットされている。
【００３３】
振動板２８には、摺動レバー３８からの振動を受ける振動板動作部５７を設け、着脱自在に係合することができる。
【００３４】
回転レバー３６に形成した当接部３７と、摺動レバー３８と、振動板２８に形成した振動板動作部５７は、略一直線上に配置されている。振動板２８の吸引風が流れる下流側にスペース５９を設け、前記スペース５９には、騒音を低減する消音部として吸音部材５８を配置している。
【００３５】
以上のように構成された本実施の形態における電気掃除機について、以下その作用を説明する。
【００３６】
電動送風機２を運転させると、吸引風の発生に伴い運転音が発生する。特に、電動送風機２のファン（図示せず）の羽枚数と回転数に起因するＮＺ音と呼ばれる高周波音が電動送風機２から発生し、前記高周波音は、電動送風機２前方の連通口２４を通り集塵室５の方向に放射される。
【００３７】
連通口２４から集塵室５へ抜けた高周波音は、振動板２８を通過する際、振動板２８に配置された吸音部材５８により吸収され、騒音を低減することができる。
【００３８】
なお、吸音部材５８を、二材質もしくはそれ以上の複数材質で構成するようにすれば、電動送風機２の吸気側から発せられる透過性の高い高周波音をより効果的に遮音することができる。
【００３９】
また、吸音部材５８を、電動送風機２による吸引圧が最も集中する箇所、すなわち、電動送風機２の吸気側から発せられる騒音の集中している箇所に位置するようにすれば、より効果的に消音効果を得られるものである。
【産業上の利用可能性】
【００４０】
以上のように、本発明にかかる電気掃除機は、簡便な手段により低騒音化に優れたもので、各種家庭用、業務用電気掃除機等に広く適用できる。
【符号の説明】
【００４１】
１  電気掃除機本体
２  電動送風機
３  電動送風機室
４  集塵袋
５  集塵室
１６  吸込具
２８  振動板
５８  吸音部材（消音部）
【図１】
2012005561.tif 000003
【図２】
2012005561.tif 000004
【図３】
2012005561.tif 000005
【図４】
2012005561.tif 000006
【図５】
2012005561.tif 000007
【図６】
2012005561.tif 000008